(57)【特許請求の範囲】
【請求項１】
流路の前方に流路断面が段付きの連結部を介して狭小となるように縮径した喉部を有し、該喉部につながるノズルの先端口部を偏平なスリット状に形成し、この先端口部の開口端部（３ａ）を液だれ防止用の凹部となし、前記喉部及び喉部につながるノズルの先端口部を一体の毛細管とし、前記喉部に通ずる助走流路を介して流れの上流側部位となる液状物の入口部にヘッダー部を介して着脱自在の接続部を設け、且つ前記ノズルを所定のピッチで複数本配設して成ることを特徴とするノズル。
【請求項２】
助走流路と喉部の連結部をテーパー状の截頭円錐形としたことを特徴とする請求項１記載のノズル。
【請求項３】
前記ヘッダー部及び接続部を介して押し絞り変形・スプリングバック自在の機能を有する容器に対し着脱自在の構成としたことを特徴とする請求項１または２記載のノズルを装着した容器。
【発明の詳細な説明】
【０００１】
【発明の属する技術分野】
この発明は、流動性のある液状物を吐出または点滴可能なノズル及び該ノズルを装着した容器に関する。
【０００２】
【従来の技術】
従来例として、類似のものに、容器を上向きのまま使用するものとして、ヘア用のフォーム剤、窓や車のガラス用洗剤、洗濯用の糊、が知られ、容器を下向きのまま使用するものとして、頭髪に先を押し付けるタイプの育毛剤、容器を上向き・下向きどちらでも使えるものとして、制汗剤、ヘアスプレー、帯電防止剤、防水剤、等が市販されている。
【０００３】
また、公知の技術として、▲１▼特開平７−１４４１６８号公報の「塗布具」、即ち、液体収容室の液体を加圧し、液溜め部を介して前方の塗布体へ導出するようにした塗布具であって、前記液体収容室の長手方向に対して前後方向に幅広となる塗布部を有し、塗布体の前端側に、この塗布体とこの塗布体のホルダーとの隙間として形成した空気通路を開口させて成る塗布具について開示され、▲２▼特開平１１−２０６４５５号公報の「エアゾール缶取付け用整髪具」として、管状柄の前面を開口し、また台板前面から櫛歯等で形成した多数ないし複数の整髪子を前方突出する整髪部を設け、該整髪部を上記開口へ着脱自在に嵌合させて、前記台板で前記開口を密閉した整髪具が開示され、▲３▼特開２０００−１６４７０号公報の「塗布具付き容器」として、可撓性外側層と該外側層に剥離自在に積層された内側層で構成され、外側層に空気導入孔を備え、内側層に吐出口を連通してなる容器本体と、該容器本体の吐出口に接続される塗布具とを有してなる塗布具付き容器が開示されている。
【０００４】
【発明が解決しようとする課題】
然しながら上述の従来例及び公知の技術では、市販されているものも、公知の技術として挙げたものも、何れもノズル部については、その構成等において言及されてないものである。
【０００５】
また、本出願人の発明として、平成１１年３月２３日付け特願平１１−７７７２３号による「毛髪を有する地肌部への薬剤塗布具」を出願したが、その後本出願人自身が、「毛髪を有する地肌部への液剤塗布具」として発明の名称を変更し、優先権を主張して、平成１１年１２月２７日に補正出願した特願平１１−３７７４７７号（特開２０００−３３４０４６号）では、ノズル吐出口の構造について、種々提案したが、結果的に構造が複雑で製作費が嵩み、且つ塗布効果が優れず、実用上問題を内在した形態となった。
【０００６】
本発明は、上述の事情に鑑みて成されたもので、ノズル部について構造が簡単で、製作費が安価、且つ機能的に優れた汎用性を有するノズル及び該ノズルを装着した容器を提供することを目的とする。
【０００７】
【課題を解決するための手段】
本発明は、下記構成を備えることにより上記課題を解決できるものである。
【０００８】
（１）流路の前方に流路断面が段付きの連結部を介して狭小となるように縮径した喉部を有し、該喉部につながるノズルの先端口部を偏平なスリット状に形成し、この先端口部の開口端部（３ａ）を液だれ防止用の凹部となし、前記喉部及び喉部につながるノズルの先端口部を一体の毛細管とし、前記喉部に通ずる助走流路を介して流れの上流側部位となる液状物の入口部にヘッダー部を介して着脱自在の接続部を設け、且つ前記ノズルを所定のピッチで複数本配設して成ることを特徴とするノズル。
【０００９】
（２）助走流路と喉部の連結部をテーパー状の截頭円錐形としたことを特徴とする前項（１）記載のノズル。
【００１５】
（３）前記ヘッダー部及び接続部を介して押し絞り変形・スプリングバック自在の機能を有する容器に対し着脱自在の構成としたことを特徴とする前項（１）または（２）記載のノズルを装着した容器。
【００１６】
【発明の実施の形態】
図１は、本発明に係るノズル部の構造拡大説明図、（ａ）はノズルの先端口部正面図、（ｂ）は、（ａ）のＡ−Ａ断面図、図２は、１本のノズルを容器に装着した単体構造の例を示す全体図である。図３は、本発明に係る複数本のノズル部をヘッダーを介して装着した例を示す側面図、図４は、複数本から成るノズル部にキャップを被嵌した状態を示す側面図、図５は、助走流路の先を毛細管とした場合の例を示すノズル部の断面図、図６は、助走流路１と喉部２との連結部をテーパー状とし流れの滞留する淀み点を回避する構成例を示す断面図である。
【００１７】
以下本発明に係るノズル及び該ノズルを装着した容器の実施例について説明する。
【００１８】
図１において、流路の前方に流路断面が段付き狭小となるように縮径した喉部２を有し、該喉部２の流路方向長さｌ２は前記喉部２の口径φ２と共に相関して、使用する液状物の粘性及び／または表面張力等の性状に対応した大きさに構成し、前記喉部２に通ずる助走流路１（流路長さｌ１×口径φ１）を介して流れの上流側部位となる前記液状物の入口部に着脱自在の、例えば、螺子部を有する接続部６を設け、前記喉部２の先端口部３は、用途に応じて断面円形状、扁平なスリット状、または先細りオリフィス状とし、また、前記喉部２及び／または喉部の先端口部３は、別体構造にて嵌脱自在とし、また、前記喉部２につながるノズルの先端口部３の開口端部３ａに、液だれ防止用の湾曲または球面状の凹部を設け、また、前記喉部２及び喉部２につながるノズルの先端口部３を一体の毛細管とし（図５参照）、即ち助走流路１から先の吐出口までを一体の流路と成し、扱う液状物の性状に適合した毛細管とすることにより、液だれを防止するように構成することも出来る。
【００１９】
また、図６に、助走流路１と喉部２の連結部をテーパー状の截頭円錐形と成し、急激な段差をなくし、流れの滞留する淀み点を回避する構成例を示した。
【００２０】
また、前記接続部６にヘッダー部５を設け、少なくとも一つまたは複数のノズル部Ｎｚを一列または複数列・複数本配設可能な構成とし、更に、前記ノズル部Ｎｚは、前記ヘッダー部５及び／または接続部６を介して容器７に対し着脱自在であると共に、容器７を搾るように押圧してノズルの先端口部３から所望の液状物を所望量吐出または点滴可能な構成としたことを特徴とする。
【００２１】
本実施例における毛髪を有する地肌部への液剤塗布具の例としての各部寸法は、流路の長さにおいて、ｌ２：ｌ３：ｌ４＝２：５：１；口径において、φ１：φ２＝２：１；ノズルの鼻先のＲは１Ｒ（以上、単位：ｍｍ）とした。
【００２２】
尚、流路となる喉部２及び助走流路１の断面形状は、丸、四角、多角形、星形、または曲線によって形成される形状であっても良く、液状物の性状に対応して流路を形成可能であれば良く、その形状の如何を問うものではない。
【００２３】
尚また、ノズルの鼻先４の外形は、図１に示すように曲率半径Ｒで形成される凹凸の無い滑らかな球面状に仕上げてある。即ち球形に近似した形態を成し、キャップが被嵌可能に構成してある。
【００２４】
本発明に係るノズルの先端口部３の場合は、右手で使用する時と、左手で使用する時とで、使い勝手の良い向きにノズル部Ｎｚを容器に対し付け替え可能に構成してある。
【００２５】
更にまた、前記ヘッダー部５は、円筒状を呈し、前記ノズル部Ｎｚを放射状に所定のピッチで複数本配設して成る構成とすることも出来る。
【００２６】
更に尚、図４に示すように、例えば、ノズル部Ｎｚの本数に合わせた形状のキャップ８を設けることが出来る。
【００２７】
このキャップ８は、図２に示すような単体構造の場合でも勿論適用可能に構成出来る。
【００２８】
尚、本発明の重要なポイントである助走流路１の長さｌ１及び口径φ１、喉部２の長さｌ２及び口径φ２、等の各要素は、扱う液状物の性状、特に粘性（粘度）、密度、表面張力、及び流量等に応じて、適宜選択的に且つ前記４要素であるｌ１、φ１、ｌ２、φ２と相関して決定すれば良い。
【００２９】
基準値としては、例えば、常温（２０℃）における空気中の水の表面張力σ（シグマ）は７２．７５ｍＮ／ｍ＝７２．７５×１０−３Ｎ／ｍ（ｍ−ｋｇ／ｓ２）（日本機械学会編、機械工学便覧）であるので、この値をベースに選択しても良い。
【００３０】
即ち、扱う液状物の性状が分れば、本発明に係るノズル部Ｎｚの４要素であるｌ１、φ１、ｌ２、φ２の値を適宜選択決定することが出来る。
【００３１】
尚、表面張力σは、温度の上昇と共に減少し、温度の下降と共に増加するので、使用環境の温度条件等の使用条件を勘案すれば良い。
【００３２】
実施例では、容器について、搾るように押圧して使用する可撓性容器の場合を説明したが、エアゾール缶などの従来技術で知られる容器に全て適合可能であり、容器を限定するものではない。
【００３３】
従って、整髪等に用いる塗布具などでは、ノズル部の鼻先となる先端を塗布する地肌等の部分に直接押し付けて液剤を塗布する形態としても良い。
【００３４】
以上説明したように、ノズル部を構成する４要素であるｌ１、φ１、ｌ２、φ２を、扱う液状物に対応して適宜選択して決定できる構成としたことで、技術的、経済的に有利なノズルを提供でき、種々の容器との組合せにより、薬剤、化粧品、ペット業界、更には建築業界等の、所謂工業界を除く広範な分野の用途に応用可能である。
【００３５】
【発明の効果】
以上説明したように、本発明によれば、ノズル部の構造を助走流路と段付き縮径した喉部と吐出口とで構成したことにより、扱う液状物の性状に応じて、助走流路と喉部の長さ、太さを適宜選択自在とし、不使用時の液だれを防止し、製造コストが安価で、且つ広範囲の分野で利用出来、技術的、経済的に有利なノズルを提供することが出来る。
【図面の簡単な説明】
【図１】本発明に係るノズル部の構造拡大説明図、（ａ）はノズルの先端口部正面図、（ｂ）は、（ａ）のＡ−Ａ断面図
【図２】１本のノズルを容器に装着した単体構造の例を示す全体図
【図３】本発明に係る複数本のノズル部をヘッダーを介して装着した例を示す側面図
【図４】複数本から成るノズル部にキャップを被嵌した状態を示す側面図
【図５】助走流路の先を毛細管とした場合の例を示すノズル部の断面図
【図６】助走流路１と喉部２との連結部をテーパー状とし流れの滞留する淀み点を回避する構成例を示す断面図
【符号の説明】
１  助走流路
２  喉部
３  ノズルの先端口部
３ａ  開口端部
４  鼻先
５  ヘッダー部
６  接続部
７  容器
８  キャップ
Ｎｚ  ノズル部
【図１】
0003580501.tif 000002
【図２】
0003580501.tif 000003
【図３】
0003580501.tif 000004
【図４】
0003580501.tif 000005
【図５】
0003580501.tif 000006
【図６】
0003580501.tif 000007